(57)【要約】【課題】  データ収集装置に対応して音圧データを視覚的に確認でき、漏水等の発生の有無及び位置を容易に確認することができる水道管路監視装置を提供する。【解決手段】水道管路監視装置１を、複数のデータ収集装置２と、各データ収集装置２と無線によってデータを送受信することができるデータ分析装置３と、データ分析装置３とデータ転送コード又はメモリカード５によってデータを送受信することができるコンピュータ４と、から構成する。設定した音圧閾値によって漏水等の発生の有無を判定し、コンピュータ４に接続した表示装置４３の画面に、各データ収集装置２，２，・・・に対応して異常レベルを色彩又は図形の大きさによって視覚的に表示する。【選択図】  図８
2014173853.tif 000002
【特許請求の範囲】
【請求項１】
複数のデータ収集装置と、これらデータ収集装置と無線によってデータを送受信することができるデータ分析装置と、このデータ分析装置とデータ転送コード又はメモリカードによってデータを送受信することができるコンピュータと、から構成される水道管路監視装置であって、設定した音圧閾値によって漏水等の発生の有無を判定し、前記コンピュータに接続した表示装置の画面に、前記各データ収集装置に対応して異常レベルを視覚的に表示したことを特徴とする水道管路監視装置。
【請求項２】
前記コンピュータに接続した表示装置の画面に、前記各データ収集装置に対応して異常レベルを色彩によって視覚的に表示したことを特徴とする請求項１に記載の水道管路監視装置。
【請求項３】
前記コンピュータに接続した表示装置の画面に、前記各データ収集装置に対応して異常レベルを図形の大きさによって視覚的に表示したことを特徴とする請求項１又は２に記載の水道管路監視装置。
【発明の詳細な説明】
【技術分野】
【０００１】
本発明は、水道管路における漏水、水撃等の発生の有無、水の使用実態状況等を監視する水道管路監視装置に関する。
【背景技術】
【０００２】
従来、水道管路の途中に設置されている多数の消火栓、空気弁等に音圧検出装置及びデータ記録装置を設置し、音圧を長時間自動検出すると共に、データ記録装置によりメモリカードに自動記録し、この多数のメモリカードに記録した音圧データをコンピュータに入力して処理、解析、保存することによって、水道管路の監視を行っていた（特許文献１参照）。
【０００３】
しかし、この方法では、作業者がデータ記録装置の設置個所を巡廻し、一々、メモリカードを収集しなければならず、データの収集に時間がかかると共に、音圧データをコンピュータに入力しなければ、漏水、水撃等の発生の有無、水の使用実態状況等を知ることはできなかった。
【０００４】
かかる不都合を解消するため、音圧検出装置とデータ記録装置を一体化させたデータ収集装置と、携帯可能なデータ分析装置から構成され、作業者がデータ分析装置を携帯して巡廻する間に、データ収集装置から音圧データをデータ分析装置に無線で送信する水道管路監視装置が開発された。
【０００５】
上記水道管路監視装置によれば、一々、メモリカードを収集する必要はなく、作業者の労力を大幅に軽減することができると共に、データ分析装置によって漏水、水撃等の発生の有無、水の使用実態状況等を直ちに確認することができる。
【先行技術文献】
【特許文献】
【０００６】
【特許文献１】特開平６−１８６１２６号公報
【発明の概要】
【発明が解決しようとする課題】
【０００７】
上記水道管路監視装置では、データ収集装置において、複数日間に亘って音圧データを記録することができ、データ分析装置において、それら音圧データを受信して、表示装置に数値表示することによって、漏水、水撃等の発生の有無、水の使用実態状況等を確認していた。
【０００８】
しかし、データ分析装置において、音圧データを数値表示することによって、漏水等の発生の有無を確認するのでは、どの程度の音圧値であれば漏水等が発生しているのか、作業者の技量、経験によって判断が異なり、判断ミスを生じやすい。
【０００９】
又、データ分析装置において、音圧データを数値表示することによって、水の使用実態状況等を確認するのでは、表示装置に数値表示された音圧データを出力装置によって紙面に印字しなければ、経過情報等を確実に把握することができない。
【００１０】
尚、データ分析装置に格納した音圧データをデータ転送コード又はメモリカードによってコンピュータに転送し、コンピュータで音圧データを処理、解析し、表示装置に画面表示すれば、音圧データ情報を視覚的に確認することができる。
【００１１】
しかし、水道管路を配設した地域の地図を表示し、その地図上にデータ収集装置を配置すると共に、データ収集装置に対応する音圧データを一覧表示するのでは、漏水等の発生の有無及び位置を容易に確認することはできない。
【００１２】
本発明は、かかる問題点を解消すべく為されたものであって、漏水等の発生の有無を判断するのに、作業者の技量、経験を必要とせず、又、紙面に印字しなくとも、簡易に経過情報等を把握することができると共に、データ収集装置に対応して音圧データを視覚的に確認でき、漏水等の発生の有無及び位置を容易に確認することができる水道管路監視装置を提供することを目的とする。
【課題を解決するための手段】
【００１３】
上記目的を達成するために、本発明の水道管路監視装置は、複数のデータ収集装置と、これらデータ収集装置と無線によってデータを送受信することができるデータ分析装置と、このデータ分析装置とデータ転送コード又はメモリカードによってデータを送受信することができるコンピュータと、から構成される水道管路監視装置であって、設定した音圧閾値によって漏水等の発生の有無を判定し、前記コンピュータに接続した表示装置の画面に、前記各データ収集装置に対応して異常レベルを視覚的に表示したことを特徴とする。
【００１４】
ここで、前記各データ収集装置に対応して異常レベルを色彩によって視覚的に表示してもよい。
【００１５】
又、前記各データ収集装置に対応して異常レベルを図形の大きさによって視覚的に表示してもよい。
【発明の効果】
【００１６】
本発明の水道管路監視装置によれば、設定した音圧閾値によって漏水等の発生の有無を判定し、データ収集装置に対応して異常レベルを視覚的に表示するから、作業者の技量、経験によって漏水等の判断が異なることなく、漏水等の発生の有無及び位置を容易に確認することができる。
【００１７】
又、データ収集装置に対応して、異常レベルを色彩又は内径によって視覚的に表示するから、漏水等の発生の有無及び位置を容易に視覚的に把握することができる。
【図面の簡単な説明】
【００１８】
【図１】水道管路監視装置の構成図である。
【図２】データ収集装置の外観図である。
【図３】データ収集装置の回路構成図である。
【図４】データ分析装置の外観図である。
【図５】データ分析装置の回路構成図である。
【図６】データ収集装置において実行される判定フローを示す説明図である。
【図７】コンピュータに接続した表示装置の画面表示の一例を示す説明図である。
【図８】コンピュータに接続した表示装置の画面表示の一例を示す説明図である。
【発明を実施するための形態】
【００１９】
先ず、本発明の水道管路監視装置について、図１乃至図５を参照して説明する。
【００２０】
水道管路監視装置１は、図１に示すように、複数のデータ収集装置２と、データ分析装置３と、コンピュータ４と、から構成される。
データ収集装置２とデータ分析装置３とは無線によってコマンド及びデータを送受信するようになっている。
一方、データ分析装置３とコンピュータ４とはデータ転送コード又はメモリカード５によってコマンド及びデータを送受信するようになっている。
【００２１】
データ収集装置２は、図２及び図３に示すように、下端部に音圧センサ２１を配置し、上端部にアンテナ２２と把持部材２３を配置してある。
そして、作業者は把持部材２３を把持して携行し、図１に示すように、水道管路Ｌの制御弁、消火栓、メータ等の付帯設備Ｖにデータ収集装置２を設置する。
【００２２】
水道管路Ｌにおいて発生、伝達されてきた流水音、漏水音等の音は、付帯設備Ｖを介してデータ収集装置２の音圧センサ２１によって捕捉され、音圧信号として検出される。
そして、この音圧信号は、電圧増幅、フィルタリング、デジタル変換等され、中央処理装置（ＭＰＵ）２４において演算、処理され、記憶装置２５に順次音圧データとして保存される。
又、保存された音圧データは、無線通信モジュール２６を介してアンテナ２２から発信される。
【００２３】
データ分析装置３は、図４及び図５に示すように、筐体３１の表面部に表示装置３２と操作ボタン３３を配置し、上端部にアンテナ３４を配置してある。
【００２４】
データ収集装置２のアンテナ２２から発信され、アンテナ３４によって受信された音圧データは、無線通信モジュール３５を介して中央処理装置（ＣＰＵ）３６に送信され、中央処理装置（ＣＰＵ）３６において演算、処理されて、記憶装置３７に保存される。
そして、記憶装置３７に保存された音圧データは、中央処理装置（ＣＰＵ）３６によって適宜抽出され、演算、処理されて、表示装置３２に数値表示、グラフ表示、図形表示等出力されるようになっている。
【００２５】
コンピュータ４は、図１に示すように、コンピュータ本体４１に入力装置４２及び表示装置４３を接続してある。
【００２６】
データ収集装置２は、生活音の少ない深夜の時間帯に２時間（２〜４時）、所定の間隔（１〜６０秒）で音圧値を記録し、測定された２時間において最小音圧値を漏水判定に使用する音圧データとする。
漏水音は継続して発生するものであって、音の大きさが急に変化することは基本的にはない。音が急に大きくなる要因としては、生活音、自動販売機等の電気機器の動作音等が考えられるが、２時間発生し続けることはない。よって、最小音圧値を監視すれば、水道管路から本来発生する音の大きさがわかることになる。
そして、本来発生する音の大きさを基準として所定の閾値を設ければ、この閾値を大幅に超えた最小音圧値を示す個所は、何等かの異常音が発生しているとして、漏水が発生していることを判定することができる。
【００２７】
データ収集装置２では、１日に２時間に亘って所定間隔で音圧値を測定し、記録する。又、測定された２時間における最小音圧値を抽出し、保存する。
そして、複数日間（最大３５日間）に亘って、２時間に亘る音圧値及び最小音圧値を保存する。ここで、３５日以降も保存は継続されるが、その場合には、古いデータは消去され、常に最新の３５日分のデータが保存される。
【００２８】
次に、データ収集装置２において実行される漏水等の異常状態判定方法について、図６に示す判定フロー図を基に説明する。
【００２９】
異常状態判定の対象データとしては、直近日の最小音圧値データを使用する。そして、
この最小音圧値データを任意に設定された音圧閾値（ＬＶ１，ＬＶ２，ＬＶ３：ＬＶ１＜ＬＶ２＜ＬＶ３）と比較する。
【００３０】
最小音圧値データがＬＶ１より小さい場合には、異常なしと判定する。次に、最小音圧値データがＬＶ２より小さい場合、ＬＶ３より小さい場合、ＬＶ３より大きい場合には、
それぞれ、レベルＬＶ１〜３の異常と判定する。
【００３１】
このように判定された結果は、データ収集装置２に保存されると共に、データ分析装置３に送信される。
【００３２】
データ分析装置３では、複数のデータ収集装置２，２，・・・から２時間に亘る音圧値データ、最小音圧値データ、及び、判定結果を受信する。
そして、表示装置３２の表示画面上には、各データ収集装置２，２・・・の識別番号、データ受信日時、雫を図案化した判定結果マーク、最小音圧値等が表示される。
【００３３】
又、表示装置３２の表示画面上には、データ収集装置２の音圧値データを各種グラフにして表示することもできる。
例えば、最小音圧値の推移を示すグラフ、１日における音圧値の分布を示すグラフ、１日における音圧値の分布を６分割して示すグラフを画面表示することができる。
【００３４】
コンピュータ４は、データ分析装置３からデータ転送コード又はメモリカード５を介して音圧データを受信するようになっている。
そして、受信した音圧データを処理、解析して、表示装置４３に数値表示、グラフ表示、図形表示等できるようになっている。
【００３５】
図７は、水道管路を配設した地域の地図を表示するものであるが、その地図上にデータ収集装置２，２，・・・の図案を配置し、各データ収集装置２，２，・・・の図案には識別番号を記載してある。
【００３６】
図７においては、識別番号９９０００００１のデータ収集装置２の図案は、最小音圧値データがＬＶ１より小さく、異常音の発生地点から最も遠いので、黒色で表現してある。
識別番号９９０００００３のデータ収集装置２の図案は、最小音圧値データがＬＶ２より小さく、異常音の発生地点から遠いので、緑色で表現してある。
識別番号９９０００００４のデータ収集装置２の図案は、最小音圧値データがＬＶ３より小さく、異常音の発生地点に比較的近いので、黄色で表現してある。
識別番号９９０００００５のデータ収集装置２の図案は、最小音圧値データがＬＶ３より大きく、異常音の発生地点に近いので、赤色で表現してある。
【００３７】
以上のように、設定した音圧閾値によって漏水等の発生の有無を判定し、データ収集装置に対応して異常レベルを色彩によって視覚的に表示すれば、作業者の技量、経験によって漏水等の判断が異なることなく、漏水等の発生の有無及び位置を容易に確認することができる。
【００３８】
又、図８に示すように、データ収集装置２，２，・・・の図案を中心として、適宜内径の円を描き、かつ、その円内を適宜色彩に塗るようにしてもよい。
【００３９】
図８においては、識別番号９９０００００１のデータ収集装置２の図案は、最小音圧値データがＬＶ１より小さいので、円を描いていない。
識別番号９９０００００３のデータ収集装置２の図案は、最小音圧値データがＬＶ２より小さいので、最小音圧値データに対応した内径の円を描き、円内を緑色に塗ってある。
識別番号９９０００００４のデータ収集装置２の図案は、最小音圧値データがＬＶ３より小さいので、最小音圧値データに対応した内径の円を描き、円内を黄色に塗ってある。
識別番号９９０００００５のデータ収集装置２の図案は、最小音圧値データがＬＶ３より大きいので、最小音圧値データに対応した内径の円を描き、円内を赤色に塗ってある。
【００４０】
以上のように、データ収集装置に対応して異常レベルを適宜内径の円によって、又、その円内を適宜色彩に塗ることによって視覚的に表示すれば、漏水等の発生の有無及び位置をより容易に把握することができる。
【００４１】
本発明の水道管路監視装置によれば、設定した音圧閾値によって漏水等の発生の有無を判定し、データ収集装置に対応して異常レベルを視覚的に表示するから、作業者の技量、経験によって漏水等の判断が異なることなく、漏水等の発生の有無及び位置を容易に確認することができる。
【符号の説明】
【００４２】
１  水道管路監視装
２  データ収集装置
２１  音圧センサ
２２  アンテナ
３  データ分析装置
３２  表示装置
３４  アンテナ
４  コンピュータ
４１  コンピュータ本体
４２  表示装置
５  メモリカード
Ｌ  水道管路
【図１】
2014173853.tif 000003
【図２】
2014173853.tif 000004
【図３】
2014173853.tif 000005
【図４】
2014173853.tif 000006
【図５】
2014173853.tif 000007
【図６】
2014173853.tif 000008
【図７】
2014173853.tif 000009
【図８】
2014173853.tif 000010